(57)【要約】【課題】  良好な視認性を有する、有機ＥＬパネルを発光源として備えた標識を提供することを課題とする。【解決手段】  有機ＥＬパネルを発光源として備えた標識であって、前記有機ＥＬパネルは、輝度が１００ｃｄ／ｍ2、以上９００ｃｄ／ｍ2以下であり、かつ、色温度が２８００Ｋ以上、６０００Ｋ以下である、標識により課題を解決する。本発明により得られた標識は、特に車両誘導用に好適に用いられる。【選択図】図１
2013257556.tif 000002
【特許請求の範囲】
【請求項１】
有機ＥＬパネルを発光源として備えた標識であって、
前記有機ＥＬパネルは、輝度が１００ｃｄ／ｍ2以上、９００ｃｄ／ｍ2以下であり、かつ、色温度が２８００Ｋ以上、６０００Ｋ以下である、標識。
【請求項２】
前記標識は、前記有機ＥＬパネルが発する白色光と、他の色とのコントラストにより情報を表示させることを特徴とする、請求項１に記載の標識。
【請求項３】
前記標識が、少なくともその一部から光を放出可能なケーシング、該ケーシング中に配置され、有機ＥＬパネルを含む発光部、及び、該発光部が発する光を透過しケーシング外部に光を放出する表示部、を備える標識である、請求項１または２に記載の標識。
【請求項４】
発光部が、複数の有機ＥＬパネルを含む、請求項３に記載の標識。
【請求項５】
車両誘導用である、請求項１から４のいずれか１項に記載の標識。
【発明の詳細な説明】
【技術分野】
【０００１】
本発明は、有機ＥＬパネルを発光源として備えた標識に関し、好ましくは高速道路やサービスエリア、パーキングエリアさらに一般道路等に設置される車両誘導標識であって、有機ＥＬパネルを発光源として備えた標識に関する。
【背景技術】
【０００２】
近年のＬＥＤ（発光ダイオード）や有機ＥＬ（有機発光ダイオード＝ＯＬＥＤ）等のエレクトロルミネッセンス照明は消費電力が小さく、多数の照明を必要とする道路交通設備への利用が期待されている。特にＬＥＤは、高効率・高寿命等の特性に優れるため信号機や路肩やトンネル内の警告等など道路標識として普及が加速してきている。
有機ＥＬも、点光源であるＬＥＤに対して薄型の面発光であり、かつＬＥＤと同様に高効率であるとの利点を活かし道路標識としての利用が見込まれている（特許文献１、特許文献２参照）。
【０００３】
また、洞道内における誘導等の発光源としての有機ＥＬの使用が検討されている。このような使用により、従来の蛍光灯と比較して、光源を長寿命化してランニングコストの低減を図ることが提案されている（特許文献３参照）。
【先行技術文献】
【特許文献】
【０００４】
【特許文献１】特開２００１−２７２９３７号公報
【特許文献２】特開２００４−２７０４４３号公報
【特許文献３】特開２００８−１６５３３７号公報
【発明の概要】
【発明が解決しようとする課題】
【０００５】
上記のとおり、有機ＥＬを用いた標識としての検討はいくつかなされている。
しかしながら特許文献１、２および３では、有機ＥＬを光源として用いるとは記載されているものの、有機ＥＬを実際に標識として使用した際に、有機ＥＬの特性が視認性にどのような影響を与えるのかについての具体的な検討はされていない。
本発明者らは、有機ＥＬパネルを発光源として備えた標識について検討したところ、従来ディスプレイ用途や一般照明用途に用いている規格の有機ＥＬパネルをそのまま標識に適用しても、標識として十分に機能しないことを見出した。
【０００６】
本発明者らが検討したところ、ディスプレイ用途として用いる規格の有機ＥＬパネルをそのまま標識に適用した場合、特に屋外での夜間の使用においては、視認性に適した色温度で表示すると、輝度が高すぎることが判明した。すなわち、標識としては眩しすぎるため、例えば車両誘導用の標識として用いると、表示を見たドライバーの目がくらんで危険な状態となる恐れがある。
一方、室内用など一般照明用途に用いる規格の有機ＥＬパネルをそのまま標識に適用した場合には、有機ＥＬパネルが発する光が黄色味を帯び、他の色と組み合わせて標識とする場合にはコントラストが十分に生じにくく、標識が発する文字などの表示が十分に認識できない。
本発明は上記課題を解決するものであり、有機ＥＬパネルを発光源として備えた、視認性が高い標識を提供するものである。
【課題を解決するための手段】
【０００７】
本発明者らは、上記課題を解決するために、ディスプレイ用の有機ＥＬパネルの輝度を適切にすべく電圧を下げていったところ、発光する光が黄色味を帯びていき、このような方法では課題を解決できなかった。そして、更に研究を重ね、輝度を一定の範囲とし、かつ、色温度を一定の範囲とする有機ＥＬパネルを用いることで、上記課題を解決できることを見出した。
さらには、有機ＥＬパネル内に輝度ムラがあったり、また、複数の有機ＥＬパネルを使用した場合にはその有機ＥＬパネル間の非発光部が存在することにより、表示に輝度ムラが発生して標識としての視認性が悪くなるが、輝度を一定の範囲とし、かつ、色温度を一定の範囲とする有機ＥＬパネルを用いることにより、輝度ムラが抑制されて視認性が向上することを見出して本発明を完成した。
【０００８】
本発明の概要は以下のとおりである。
有機ＥＬパネルを発光源として備えた標識であって、
前記有機ＥＬパネルは、輝度が１００ｃｄ／ｍ2以上、９００ｃｄ／ｍ2以下であり、かつ、色温度が２８００Ｋ以上、６０００Ｋ以下である、標識。
【０００９】
前記標識は、前記有機ＥＬパネルが発する白色光と、他の色とのコントラストにより情報を表示させることが好ましい。
【００１０】
また、前記標識が、少なくともその一部から光を放出可能なケーシング、該ケーシング中に配置され、有機ＥＬパネルを含む発光部、及び、該発光部が発する光を透過しケーシング外部に光を放出する表示部、を備える標識であることが好ましく、前記発光部が、複数の有機ＥＬパネルを含むことが好ましい。また、車両誘導用であることが好ましい。
【発明の効果】
【００１１】
本発明によれば、良好な視認性を有する、有機ＥＬパネルを発光源として備えた標識を提供することが可能である。このような標識は、特に車両誘導用に好適に用いられる。
【図面の簡単な説明】
【００１２】
【図１】本発明の有機ＥＬパネルを発光源として備えた標識の一例を表す概念図である。
【図２】有機ＥＬの一般的な構造（層構成）を表す概念図である。
【発明を実施するための形態】
【００１３】
以下、本発明について、具体的な態様を示しながら詳細に説明するが、本発明は例示する具体的態様に限定されないことはいうまでもない。
本発明の標識は、有機ＥＬパネルを発光源として備えた標識であって、有機ＥＬパネルの輝度が１００ｃｄ／ｍ2以上、９００ｃｄ／ｍ2以下であり、かつ、色温度が２８００Ｋ以上、６０００Ｋ以下であることを特徴としている。
【００１４】
＜有機ＥＬパネル＞
本発明の標識が備える有機ＥＬパネルは、標識のバックライトとして使用するものであり、１枚の有機ＥＬパネルまたは複数枚の有機ＥＬパネルを並べて配置することで発光部を形成する。標識を大型化するためには、複数の有機ＥＬパネルを並べて配置することが、コスト的にも好ましい。
なお、複数の有機ＥＬパネルを並べて配置して発光部とした場合には、本発明の有機ＥＬパネルの輝度、及び色温度は、配置したパネル全体の測定値を表すものとする。
【００１５】
本発明の標識が備える有機ＥＬパネルは、輝度が１００ｃｄ／ｍ２以上、９００ｃｄ／ｍ２以下であり、かつ、色温度が２８００Ｋ以上、６０００Ｋ以下である。
先に説明したように、ディスプレイ用途や一般照明用途に用いられてきた有機ＥＬパネルは、そのまま標識に適用すると問題を生じる。すなわち、ディスプレイ用途として用いる規格の有機ＥＬパネルをそのまま標識に適用した場合、標識としては眩しすぎるため、表示を見たドライバーの目がくらみ、その後の事故を惹起させかねない、危険な状態となる恐れがある。一方、室内用など一般照明用途に用いる規格の有機ＥＬパネルをそのまま標識に適用した場合には、色温度が低く黄色味を帯びた光が発せられるため、他の色と組み合わせて標識とする場合にはコントラストが十分に生じにくく、標識が表示する文字などの情報が十分に認識できない場合がある。
そのため、本発明では、標識が備える有機ＥＬパネルの輝度を１００ｃｄ／ｍ２以上、９００ｃｄ／ｍ２以下とする。輝度の下限は２００ｃｄ／ｍ２以上が好ましく、２５０ｃｄ／ｍ２以上がより好ましく、３００ｃｄ／ｍ２以上が更に好ましい。輝度が前記下限以上であることにより、夜間の標識の視認性を担保することができる。
一方、輝度の上限は８００ｃｄ／ｍ２以下が好ましく、７００ｃｄ／ｍ２以下がより好ましく、６００ｃｄ／ｍ２以下が更に好ましく、５００ｃｄ／ｍ２以下が特に好ましく、４５０ｃｄ／ｍ２以下が最も好ましい。輝度が前記上限以下であることにより、眩しさを抑制して視認性を担保するだけでなく、高輝度の場合に顕著な有機ＥＬパネル内の輝度ムラがある場合でも輝度ムラが抑制される。また、複数の有機ＥＬパネルを使用した場合の有機ＥＬパネル間の非発光部に起因する表示部に輝度ムラも抑制されて、視認性を向上することができる。
【００１６】
また、有機ＥＬパネルは、輝度を下げることで色温度が低くなる傾向にあり、発する光が黄色味を帯びていく。そのため、単純に電圧を下げることで輝度を下げても、発する光が黄色味を帯びてしまい、標識の視認性を改善することができない。そのため、本発明においては有機ＥＬパネルの色温度を２８００Ｋ以上、６０００Ｋ以下とする。色温度をこの範囲にすることにより、標識の視認性を維持することができる。
中でも、色温度の下限は３０００Ｋ以上であることが好ましい。色温度を上記下限以上にすることにより、標識の白色部が黄色〜赤色味を帯びることを抑制でき、西日などの太陽光による反射による標識の視認性の低下を抑制することができる。この点では、有機ＥＬパネルの色温度は４０００Ｋ以上であることがより好ましく、４５００Ｋ以上であることが更に好ましい。
一方、色温度の上限は５５００Ｋ以下であることが好ましく、５０００Ｋ以下であることがより好ましい。通常、パネルの色温度を上げるための発光材料が劣化しやすいため、有機ＥＬパネルの色温度が低い方が、長期間の使用による有機ＥＬパネルの輝度の低下（劣化）を抑制しやすい。従って、色温度を上記上限以下とすることで有機ＥＬパネルの寿命が長くなり、有機ＥＬパネルの輝度変化による標識の視認性への影響が減少するため、標識の視認性を維持できる。この点では、色温度は４５００Ｋ以下が更に好ましく、４０００Ｋ以下が特に好ましい。
【００１７】
本発明の標識の発光源として用いられる有機ＥＬパネルの輝度、及び色温度を上記範囲とするためには、低電流であっても青色の発光が十分になるように有機ＥＬパネルの規格を設計すればよい。
具体的には、有機ＥＬパネルの発光材料をその態様に応じて選択すればよく、例えば、赤（Ｒ）、緑（Ｇ）、青（Ｂ）等の発光材料を個別の層にドープして積層したＲＧＢ積層型の有機ＥＬパネルを用いる場合、青色発光材料を含む層の厚みを厚くしたり、青色発光材料の量を多くしたり、逆に赤色、緑色の発光材料を含む層の厚みを薄くしたり、赤色、緑色発光材料の量を少なくしたりすることで達成できる。また、各色を平面のブロック状に配置したＲＧＢブロック画素型の場合には、青色の領域を多くすることで達成できる。
また、赤色、緑色、青色のそれぞれの発光材料において、発光スペクトルがより短波長側にシフトしたものを用いることによっても、達成できる。
【００１８】
本発明において有機ＥＬパネルとは、有機発光材料を利用し、有機発光材料層に電流を流すことにより励起子（エキシトン）を生成後、それが安定化する際に光を放出（蛍光・燐光どちらでもよい）する有機電界発光素子を含む発光デバイスをいい、本発明においては特に封止フィルム等により封止された状態のものを意味する。
【００１９】
＜有機電界発光素子＞
本発明に用いられる有機電界発光素子の構成は、特に限定されず、公知の有機電界発光素子を用いることができるが、一般的な構成について図２を参照して説明する。
図２は有機電界発光素子の構造例を示す断面の模式図であり、図２において、４１は基板、４２は陽極、４３は正孔注入層、４４は正孔輸送層、４５は発光層、４６は正孔阻止層、４７は電子輸送層、４８は電子注入層、４９は陰極を表す。注入層や輸送層等を含まないものであっても、またその他の機能を有する層が含まれていてもよく、さらに各構成層は、単層であっても複数層であってもよい。
【００２０】
また、上記構成層の製膜方法も特に限定されず、例えば、真空蒸着法、スパッタリング法等の乾式成膜法、又はスピンコート法、ディップコート法、ダイコート法、バーコート法、ブレードコート法、ロールコート法、スプレーコート法、キャピラリーコート法、インクジェット法、スクリーン印刷法、グラビア印刷法、フレキソ印刷法等の湿式成膜法が挙げられる。
【００２１】
有機電界発光素子の基板材料は、特に限定はされないが、石英ガラス、無アルカリガラスやソーダ石灰ガラス等のガラス板、アルミやスチール等の金属板・金属箔、ポリエチレンテレフタレート、ポリオレフィン、ポリメタクリレート、ポリエチレンナフタレート、ポリイミド、ポリカーボネート、ポリエーテルスルフォンなどのプラスチックフィルムやシート等が挙げられる。特に鳥や飛び石、車両等の衝突に対しての安全性（破片が飛び散らない）、軽量で割れにくく車両誘導標識表面への配線・取付が容易である観点から、アルミやスチール等の金属シート、金属箔、プラスチックフィルムやシート、ガラスの場合は薄肉フレキシブル化したものを基板とすることが好ましい。
【００２２】
有機電界発光素子の陽極材料は、特に限定されないが、アルミニウム、金、銀、ニッケル、パラジウム、白金等の金属及びその合金、インジウム及び／又はスズの亜鉛酸化物等の金属酸化物、ヨウ化銅等のハロゲン化金属、カーボンブラック、或いは、ポリ（３−メチルチオフェン）、ポリピロール、ポリアニリン等の導電性高分子等が挙げられる。また、上記基板が導電材料である場合には、基板と陽極は同一であってもよい。
【００２３】
有機電界発光素子の陰極材料は、特に限定されないが、スズ、マグネシウム、インジウム、カルシウム、アルミニウム、銀等の金属又はそれらの合金が挙げられる。また、有機ＥＬパネルの消灯時に生じる外部からの光の反射をより抑制するために、陰極を粗表面にすることもできる。
【００２４】
有機電界発光素子の発光層には、発光材料のほか、正孔輸送の性質を有する化合物（正孔輸送性化合物）、或いは電子輸送の性質を有する化合物（電子輸送性化合物）が含まれることが好ましい。例えば、発光材料をドーパント材料とし、正孔輸送性化合物や電子輸送性化合物等、又はその混合物をホスト材料するものが挙げられる。
【００２５】
発光層の発光材料は特に限定されず、蛍光発光材料でも、燐光発光材料であってもよい。内部量子効率の観点から、燐光発光材料が好ましい。また、蛍光発光材料と燐光発光材料を組合せて使用してもよいが、素子としての発光効率は蛍光発光材料の効率から大きく影響を受けるため、単色を混合して白色等を作る場合には、全てが燐光発光材料であることが好ましい。発光層における発光材料の割合は、特に限定されないが、通常０．０５重
量％以上、通常３５重量％以下である。
【００２６】
発光材料の分子量は、特に限定されないが、通常１００００以下、好ましくは５０００以下、より好ましくは４０００以下、更に好ましくは３０００以下、また、通常１００以上、好ましくは２００以上、より好ましくは３００以上、更に好ましくは４００以上の範囲である。
【００２７】
発光層の膜厚は、特に限定されないが、通常３ｎｍ以上、好ましくは５ｎｍ以上、最も好ましくは１０ｎｍ以上、また、通常２００ｎｍ以下、好ましくは１００ｎｍ以下、最も好ましくは７０ｎｍ以下の範囲である。
【００２８】
上述の構成層のほか、正孔注入層、正孔阻止層、電子注入層、保護層等の材料、形態、調整方法についても、特に限定されない。またこれ以外の構成を有してもよく、その材料、形態、調製方法も、有機電界発光素子として用いられているものを適宜利用することができる。
【００２９】
＜封止材＞
本発明において有機ＥＬパネルとは、上述の有機電界発光素子を封止した状態のものを意味する。
有機電界発光素子を封止する方法は、発光領域を覆うように封止することができれば特に限定されず、通常、熱可塑性樹脂を用いて、ウェットラミネート法、ドライラミネート法、ホットメルトラミネート法、押出しラミネート法、熱ラミネート法等によって封止する方法が挙げられる。発光材料は、熱処理により劣化する場合があるので、１１０℃以下の温度で封止できる方法が好ましい。
【００３０】
封止材の種類は、特に限定されず、例えば緩衝機能を発揮し、また破損しても破片が飛び散らないポリマー材料などが好ましく、また紫外線、酸素、水分等の有機電界発光素子の劣化源の侵入を抑制する添加剤等がポリマー材料に含有されていることが更に好ましい。
【００３１】
また、紫外線や熱による劣化を抑制するために、封止材に紫外線吸収剤、酸化防止剤、光安定剤等を添加してもよい。これらの添加剤の量は特に限定されないが、１０００ｐｐｍ以下が好ましい。上記範囲であれば、紫外線や熱による劣化を抑制できるとともに、樹脂の特性を維持することができる。
【００３２】
封止材の膜厚は、通常２００μｍ以上、好ましくは３００μｍ以上、より好ましくは４００μｍ以上であり、通常１ｍｍ以下、好ましくは８００μｍ以下、より好ましくは６００μｍ以下である。上記範囲であれば、紫外線、酸素、水分等の劣化源の侵入を抑制し、素子を保護する緩衝機能を得ることができる。
【００３３】
封止材は、３８０ｎｍ以下の光線透過率が１５％以下であることが好ましく、８％以下がより好ましい。上記範囲であれば、紫外線による発光材料等の劣化を抑制することができる。
【００３４】
＜拡散フィルム＞
本発明では、有機ＥＬパネルは、その発光面に拡散フィルムを備えることが好ましい。拡散フィルムを有機ＥＬパネルの発光面に備えることで、有機ＥＬパネル発光面からの発光にかかる輝度ムラを解消することが可能となり、好ましい。
拡散フィルムは、平行光線透過率及び全光線透過率が特定の範囲内のものが好ましい。平行光線透過率は、通常８５％以下、好ましくは７５％以下、さらに好ましくは６５％以
下、特に好ましくは５０％以下であり、通常１５％以上、好ましくは２０％以上、さらに好ましくは３０％以上である。また、全光線透過率は、通常９９％以下、好ましくは９５％以下、より好ましくは９０％以下であり、通常２０％以上、好ましくは２５％以上、より好ましくは３５％以上である。上記範囲であると、各有機ＥＬパネルにおける輝度ムラを解消することが可能となる。
【００３５】
なお、平行光線透過率及び全光線透過率とは、ＪＩＳ  Ｋ  ７１０５「プラスチックの光学的特性試験方法」に準拠して測定された値であり、以下の式の関係にある。
Ｔp＝Ｔt−Ｔd
（Ｔt：全光線透過率（％）  Ｔd：拡散透過率（％）  Ｔp：平行光線透過率（％））
Ｔt＝１００−Ｒ−Ａ
（Ｔt：全光線透過率  Ｒ：全光線反射率  Ａ：吸収率）
【００３６】
拡散フィルムの材料は、例えば、ポリテトラフルオロエチレン、ポリクロロトリフルオロエチレン、ポリフッ化ビニリデン、ポリフッ化ビニル、ペルフルオロアルコキシフッ素樹脂、四フッ化エチレン・六フッ化プロピレン共重合体エチレン・四フッ化エチレン共重合体、エチレン・クロロトリフルオロエチレン共重合体等のフッ素系炭化水素樹脂；ハイドロキノン、レゾルシン、ビスフェノールＡ等の多価アルコールとビスアルキルカーボネート、ビスアリールカーボネート、ホスゲン等の炭酸エステル類から合成されるポリカーボネートが挙げられる。特にフッ素系炭化水素樹脂が好ましく、ＥＴＦＥがさらに好ましい。
【００３７】
拡散フィルムの厚みは、特に限定されないが、通常５０μｍ以上、２００μｍ以下、好ましくは１００μｍ以下である。上記範囲であると、コスト、及びラミネート時のシワ等の発生を抑制することができる。
【００３８】
拡散フィルム材料に、上述の平行光線透過率を低減する特性を付与する方法は、特に限定されないが、使用する樹脂の本来の特性を利用するほか、例えばフィルム表面に凹凸構造を形成する方法や、フィルム樹脂内部にフィラーを分散させる方法が挙げられる。
【００３９】
＜標識＞
本発明の標識の具体的態様について、図を用いて説明する。
図１は、本発明の標識の一態様を表わしている。標識は、ケーシング１、発光部２、及び表示部３からなり、発光部２は発光源である有機ＥＬパネル４を複数並べて配置されてなる。
ケーシング１は、発光部２を格納・保持し、また、外部からの熱、雨、風、飛来物などから発光部２を保護する役割を有する。ケーシング１は、少なくともその一部から発光源である有機ＥＬパネル４からの光を放出可能であれば特段の限定はなく、要求される標識の大きさに応じてケーシングの大きさを適宜決定すればよい。また、その材質も特段限定されず、上記外部からの熱、雨、風、飛来物などから発光部２を保護することができれば良い。また、設置の容易性等からケーシング１は軽い素材であることが好ましい。
【００４０】
このようなケーシングを構成する材料としては、例えばアルミやスチール等の金属板、アクリル板などの硬化プラスチック板等が挙げられる。特に鳥や飛び石、車両等の衝突に対しての安全性（破片が飛び散らない）、軽量で割れにくく壁状構造物への配線・取付けが容易である観点から、アルミやスチール等の金属板が好ましい。
【００４１】
ケーシング１の好ましい形態としては、その一面のみが光を放出可能であり、その他の面は光透過性を有しないものが好ましい。このような態様により、光の放出が一方向のみとなり、輝度が向上する。また、光を放出可能な一面がオープンである態様でもよく、そ
のような場合、表示部３によりケーシングが封止され、外部要因から発光部２を保護することとなる。
【００４２】
ケーシング１の形状も特段限定されず、標識として用いられる範囲で適宜選択することが可能であり、例えば矩形、円筒形などの態様が挙げられる。加えて、視認性の観点から表示面積が大きいことが好ましく、また、設置面積の観点から厚みは薄いことが好ましい。
【００４３】
発光部２は、本発明の標識の発光源であり、単一の有機ＥＬパネルでもよく、複数の有機ＥＬパネルからなってもよい。標識を大型化するためには、本実施形態のように、複数の有機ＥＬパネル４を並べて配置することが好ましい。
発光部２を構成する有機ＥＬパネル４は、通常、基板に固定されている。発光部２に用いる基板は、有機ＥＬパネルを固定可能であれば特段限定されないが、軽量で、かつ強度を有するものが好ましい。
発光部２の大きさはケーシングの大きさよりも小さい方が好ましく、発光部２の端部からケーシング１の側面までの距離は通常１ｃｍ以上、好ましくは２ｃｍ以上、より好ましくは５ｃｍ以上であり、通常２０ｃｍ以下、好ましくは１５ｃｍ以下、より好ましくは１０ｃｍ以下である。下限値以上であることによりケーシング内に熱が篭りづらく、有機ＥＬパネル４の発光性能が低下しづらい。さらには、標識が振動した際の振れによる故障を防止できる。また、上限値以下であることにより、表示部の周辺部輝度の低下を抑制することができ、視認性の低下を防ぐことができる。
発光部２の形状は、通常、ケーシング１の形状に合わせて発光部２の端部からケーシング１の側面までの距離はほぼ均等とするが、発光部２の端部からケーシング１の側面までの距離が異なる箇所がある場合には、上記距離は平均距離を意味する。
また、発光部２と表示部３との距離は通常１ｃｍ以上、好ましくは２ｃｍ以上、より好ましくは５ｃｍ以上であり、通常２０ｃｍ以下、好ましくは１５ｃｍ以下、より好ましくは１０ｃｍ以下である。上記下限値以上であることにより、ケーシング内に熱が篭りづらく、有機ＥＬパネル４の発光性能が低下しづらいと共に、有機ＥＬパネル４相互の輝度差、複数の有機ＥＬパネル４の間や有機ＥＬパネル４とケーシング側面との間に存在しうる発光しない箇所と発光する箇所（有機ＥＬパネル４）との輝度差を減少しやすい。また、上限値以下であることにより、パネルの発光性能を発揮しやすい。
【００４４】
表示部３は、発光源である有機ＥＬパネルが発する光を透過して標識の外部に光を放出する。表示部３は、複数の色のコントラストにより情報を表示させることが好ましく、有機ＥＬパネルが発する白色光と他の色とのコントラストにより情報を表示させることがより好ましい。なお、ここでいう有機ＥＬパネルが発する白色光とは、有機ＥＬパネルが発する白色光に対し、表示部３において他の有色に変換させるための手段を講じないものをいい、単に有機ＥＬパネルが発する白色光を散乱させることでよりはっきりとした白を表示させる場合であっても、有機ＥＬパネルが発する白色光に含まれるものとする。
【００４５】
このような具体例としては、図１の表示部３において、乳白色のアクリル板を基板として用い、そこに光透過性の緑色の有色フィルムであって、中央の矢印部分を除いたものを積層させることで、矢印部分が白色、その周りが緑色の表示部を作製することができる。有色フィルムは、白以外の色であればどのようなものでも使用することが可能である。
【００４６】
本発明の標識は、視認性に優れたものであり、また、表示部に有色のフィルムを有する場合にはその視認性が向上し、特に車両誘導用の道路標識として用いることがより好ましい。
【実施例】
【００４７】
以下、実施例により本発明をより具体的に説明するが、本発明は実施例のみに限定されるものではない。
なお、標識の視認性は、成人男性４名が、暗所に設置した標識から１．５ｍ離れて、目視により眩しさと表示の鮮明さを良、可、不可の３段階で評価した。
色温度及び輝度を変化できる有機ＥＬパネル上に表示部を設置して模式的な道路標識を作成し、夜間の使用を想定した評価を行った。
１ｍｍ厚の透明アクリル板上に５０μｍ厚の拡散フィルム（白色塩化ビニルフィルム、ｘ＝８２、ｙ＝８６、ｚ＝８２）を貼り、その一部分に更に５０μｍ厚の緑色表示フィルム（ポリ塩化ビニルフィルム）を貼ることで、表示部を得た。
縦１２３ｍｍ×横１２３ｍｍの有機ＥＬパネル（ＶＥＬＶＥＴＭ（三菱化学株式会社））を、パネルの発光部の距離（非発光部分）が約２０ｍｍとなるように、横２枚、縦２枚ずつ（合計４枚）並べることで、発光部を得た。
発光部の上に、表示部を、発光部の上面と表示部の下面との距離を１０ｍｍとして設置することで、有機ＥＬ標識を作製した。
有機ＥＬパネルの色温度及び中心輝度を、２７００Ｋ及び８８４ｃｄ／ｍ２、３０００Ｋ及び１０００ｃｄ／ｍ２、５０００Ｋ及び４４３ｃｄ／ｍ２、並びに６５００Ｋ及び３３７ｃｄ／ｍ２の４種類に変化させ、眩しさと表示の鮮明さの評価をそれぞれ行った。
眩しさの評価結果を表１に、表示の鮮明さの評価結果を表２に示す。なお、眩しさ及び表示の鮮明さの評価結果は、良＝２、可＝１、不可＝０として表記した。
【００４８】
【表１】
2013257556.tif 000003
【００４９】
【表２】
2013257556.tif 000004
【００５０】
上記結果より、有機ＥＬパネルの輝度を所定の範囲とすることで、眩しさを抑えられること、また、色温度を所定の範囲にすることで表示を鮮明に確認することができることが明らかである。すなわち、本発明の標識は視認性に優れることがわかる。
【符号の説明】
【００５１】
１    ケーシング
２    発光部
３    表示部
３１  透明基材
３２  有色フィルム
４    有機ＥＬパネル
４１  基板
４２  陽極
４３  正孔注入層
４４  正孔輸送層
４５  発光層
４６  正孔阻止層
４７  電子輸送層
４８  電子注入層
４９  陰極
【図１】
2013257556.tif 000005
【図２】
2013257556.tif 000006